(57)【特許請求の範囲】
【請求項１】
被写体に向けてフラッシュ光を発するフラッシュ装置を備えたフラッシュ装置付きカメラであって、
１回の露光中に複数回発光するように前記フラッシュ装置を制御するフラッシュ制御手段を備え、
前記フラッシュ装置の出射光路中または当該カメラの撮影レンズの入射光路中に、光透過率分布パターンを変化させることができる透過率可変フィルタを設け、この透過率可変フィルタの光透過率分布パターンを前記フラッシュ装置の複数回の発光と同期させて変化させるフィルタ制御手段を備えたことを特徴とするフラッシュ装置付きカメラ。
【請求項２】
請求項１記載のフラッシュ装置付きカメラであって、
前記フラッシュ制御手段が、所定の被写体距離よりも遠い被写体を撮影するための遠距離撮影モードが設定されている場合に、前記制御を行うフラッシュ装置付きカメラ。
【請求項３】
請求項１記載のフラッシュ装置付きカメラであって、
被写体までの距離を検出する距離検出手段を備え、
前記フラッシュ制御手段が、前記距離検出手段により検出された被写体距離に応じて、１回の露光中における発光回数を前記被写体距離の長さに従って増大させるように前記フラッシュ装置を制御するフラッシュ装置付きカメラ。
【発明の詳細な説明】
【０００１】
【発明の属する技術分野】
本発明は、被写体に向けてフラッシュ光を発するフラッシュ装置を備えたフラッシュ装置付きカメラに関し、詳しくは、１回の発光ではフラッシュ光が届かないような遠距離にある被写体でも十分な光量のフラッシュ光を照射して良好に撮影できるようにしたフラッシュ装置付きカメラに関する。
【０００２】
【従来の技術】
従来、被写体距離に応じてフラッシュ装置の発光制御を行う技術として、以下のものが知られている。
【０００３】
たとえば、特開平８−３２７８８６号公報には、撮影視野の中心の測距点に照射されるフラッシュ光量に対して、多点測距装置で測定した主要被写体のある測距点に照射されるフラッシュ光量がフラッシュ配光特性によりどの程度不足するものであるかの不足量を求め、その不足量を補うべくフラッシュによる露光量を補正するようにしたフラッシュ内蔵カメラが記載されている。この装置では、主要被写体に照射されるフラッシュによる露光量が過少にならないように、測光部で測定した撮影視野内の輝度及び多点測距装置で測定した主要被写体までの距離に応じて、フラッシュ光による露光量が最適な露光量になるようにフラッシュ光を制御することにより、撮影視野内の主要被写体の位置にかかわらず、適正な露光量を得ることができる。
【０００４】
また、特開平１１−９５２７８号公報には、異なる測光方式の複数の測光回路と、被写体までの距離情報を検出する距離情報検出回路とを備え、フラッシュ装置によりプリ発光したときに得られた測光回路の測光値を、距離情報検出回路で得られた距離情報に応じて選択し、その選択された測光値を用いてフラッシュ装置の本発光の発光量を制御するようにした撮像装置が記載されている。この装置によれば、被写体距離に応じて適切な露出で主被写体を撮影できる。
【０００５】
また、特開２０００−１２２１２８号公報には、フラッシュ装置から出た光が被写体で反射して撮像素子に至る光路において、被写体との間の撮像素子の前方にＮＤフィルタを配設して撮像素子に入射する光量を制御することにより、被写体との間の距離Ｌを一定に確保したまま、距離Ｌを変更したのと実効的に同様の状態を作り出してフラッシュ発光量の調整を行うようにしたフラッシュ装置の発光量調整方法が記載されている。
【０００６】
また、特開２０００−２７５７８６号公報には、被写体距離に応じて、フラッシュ発光部の前面を覆うフィルタシートを移動させて、それぞれの被写体距離に応じたフラッシュ光量に切り換えることができるレンズ付きフイルムユニットが記載されている。
【０００７】
また、特開２００１−００５０６７号公報には、測定された被写体輝度および被写体距離によって参照電圧Ｖref を選定し、反射光をフォトトランジスタで受光して光量積分を行い、光量積分値が参照電圧Ｖref と一致した時点でフラッシュの発光を停止することにより、低輝度近距離撮影時におけるオーバー露光を防ぐようにしたフラッシュ制御装置が記載されている。
【０００８】
また、特開２００１−１３３８５８号公報には、撮影レンズを通常撮影位置と近接撮影位置とに切り換えるとともに、リフレクタ内でフラッシュ発光体を変移させることにより、フラッシュの照射範囲が近接撮影位置の撮影画面範囲をカバーするように変更されるとともに、配光パララックスが補正されるようにしたレンズ付きフイルムユニットが記載されている。
【０００９】
また、特開２００１−１７４８８４号公報には、予備発光と本発光とを発光としては１回の発光で行うと共に、被写体までの距離に応じて予備発光の光量を調整することにより被写体までの距離に応じて赤目を防止できるようにしたフラッシュ撮影装置が記載されている。
【００１０】
【発明が解決しようとする課題】
上記のように、被写体距離すなわち、カメラから被写体までの距離に応じてフラッシュ装置の発光制御を行う技術は数多く知られている。これらの技術はいずれも、フラッシュ装置の１回の発光量が十分であることを前提とし、被写体距離に応じて撮影時におけるフラッシュ装置の発光量が適正になるようにする技術である。
【００１１】
また、赤目現象を防止するため、あるいは露光量を正確に測定するなどの目的で、撮影のための本発光および露光に先だって予備発光を行うなど、１駒の撮影においてフラッシュ装置を複数回発光させる技術もよく知られている。
【００１２】
また、同じ被写体を１駒内に複数回写し込むトリック撮影のために、フラッシュ装置を複数回発光させながら多重露光する技術もよく知られている。
【００１３】
しかし、フラッシュ装置を内蔵または外付けで接続したカメラにおいて、そのカメラのフラッシュ装置では被写体距離が遠すぎて露出アンダーになってしまうような場合、すなわちそのフラッシュ装置の１回の発光では光量が足りない場合に光量不足を補う技術は未だ提案されていない。
【００１４】
本発明は、上記事情に鑑みてなされたもので、その目的は、フラッシュ装置を複数回発光させることにより、そのフラッシュ装置の１回の発光では露出アンダーとなるような遠距離にある被写体でも良好に撮影することが可能なフラッシュ装置付きカメラを提供することにある。
【００１５】
【課題を解決するための手段】
本発明は、被写体に向けてフラッシュ光を発するフラッシュ装置を備えたフラッシュ装置付きカメラであって、１回の露光中に複数回発光するように前記フラッシュ装置を制御するフラッシュ制御手段を備え、前記フラッシュ装置の出射光路中または当該カメラの撮影レンズの入射光路中に、光透過率分布パターンを変化させることができる透過率可変フィルタを設け、この透過率可変フィルタの光透過率分布パターンを前記フラッシュ装置の複数回の発光と同期させて変化させるフィルタ制御手段を備えたことを特徴とする。
【００１６】
上記のように構成されたフラッシュ装置付きカメラでは、１駒撮影する際に１回の露光中にフラッシュ装置を複数回発光させて撮影を行うことにより、１回の発光ではフラッシュ光が届かずに露出アンダーとなるような遠距離にある被写体でも十分にフラッシュ光を到達させることができ、良好な撮影が可能である。また、前記フラッシュ装置の出射光路中または当該カメラの撮影レンズの入射光路中に、光透過率分布パターンを変化させることができる透過率可変フィルタを設け、この透過率可変フィルタの光透過率分布パターンを前記フラッシュ装置の複数回の発光と同期させて変化させるフィルタ制御手段を設けているため、１つの被写体の凹凸形状（カメラとの距離方向の凹凸形状）や、画角内に被写体が複数存在する場合の被写体間の位置関係など、様々な被写体条件に応じた適正な露光量で撮影することができ、フラッシュの多重発光により露出オーバーとなる被写体が生じるのを防止できる。
【００１７】
また、好適には、前記フラッシュ制御手段は、所定の被写体距離よりも遠い被写体を撮影するための遠距離撮影モードが設定されている場合に、前記制御を行うものとする。これにより、１回の発光ではフラッシュ光が届かずに露出アンダーとなるような遠距離にある被写体でも十分にフラッシュ光を到達させることができ、良好な撮影が可能である。
【００１８】
また、好適には、被写体までの距離を検出する距離検出手段を設け、前記フラッシュ制御手段が、前記距離検出手段により検出された被写体距離に応じて、１回の露光中における発光回数を前記被写体距離の長さに従って増大させるように前記フラッシュ装置を制御するものとする。これにより、１回の発光ではフラッシュ光が届かずに露出アンダーとなるような遠距離にある被写体でも確実にフラッシュ光を到達させることができ、良好な撮影が可能である。
【００１９】
また、好適には、前記フィルタ制御手段は、撮影画像の画角内における被写体の配置および被写体距離に応じて、被写体距離が短い領域においてフラッシュ光の照射光量または被写体の露光量を減少させるように前記透過率可変フィルタの光透過率分布パターンを設定するものとする。
【００２０】
例えば、画角の中心領域の被写体距離が短く、その他の周辺領域の被写体距離が長い場合は、フラッシュ装置の複数回の発光に連動して、透過率可変フィルタの光透過率の小さい部分を中心領域から周辺領域に向かって段階的に広げていくように光透過率分布パターンを変化させることにより、複数回の発光において透過率可変フィルタの中心領域の光透過率が小さくなるように遮光する。これにより、画角の中心領域に位置しているフラッシュ光が十分に到達する近距離の被写体に対しては次回以降の発光を遮断し、画角の周辺領域に位置する遠距離の被写体に対しては多数回の発光により光量を増加してフラッシュ光を到達させることができ、画角の全領域にわたって適正な露光量で被写体を撮影可能となる。また、画角の中心領域の被写体距離が長い場合は上記と逆にするなど、他の被写体についても被写体の状態に応じて透過率可変フィルタの光透過率分布パターンを適宜設定すればよい。さらに、複数種類の被写体についてそれぞれ透過率可変フィルタの光透過率分布パターンを適宜設定し、複数回の発光における光透過率分布パターンの変化のさせ方を画角内の被写体距離に応じて変更するためのフィルタ機能切換手段を設けるようにしてもよい。
【００２１】
なお、フラッシュ装置は、カメラ本体に内蔵したもの、カメラ本体と別体の外付けで接続されるものなどに適用可能である。また、遠距離撮影モードを設定するために、回転ダイヤルやスイッチなどにより操作者が設定操作可能に構成された、複数の撮影モードの中から所望の撮影モードを選択するためのモード選択手段を設けてもよい。
【００２２】
また、カメラ本体が安定した設置状態にあるか否かを判別するための設置状態判別手段を設け、フィルタ制御手段において、前記設置状態判別手段により安定した設置状態にあると判別された場合に１回の露光中に複数回発光するように前記フラッシュ装置を制御するようにしてもよい。この設置状態判別手段としては、カメラ本体に三脚が装着されたことを検知するセンサを三脚取付ねじ部に設け、このセンサの出力に基づいてカメラ本体が三脚によって固定されたと判定するものなどによって構成可能である。
【００２３】
【発明の実施の形態】
以下、図面を参照して本発明の実施の形態を説明する。
図１は本発明の一実施形態に係るフラッシュ装置付きカメラの外観構成を示す斜視図である。
【００２４】
このフラッシュ装置付きカメラ（以下、単にカメラと記す。）１は、カメラ本体２の右端部上部にフラッシュ装置３を内蔵している。カメラ本体２の前面部にはフラッシュ装置３の光出射窓３ａと撮影レンズであるズームレンズ（オートフォーカスレンズ）４とが配置されている。カメラ本体２の上面部には、レリーズボタン５、モード設定ダイヤル６、液晶表示装置７、ＵＰボタン８ｕ、ＤＯＷＮボタン８ｄ、およびフィルタ設定ダイヤル１１が設けられている。カメラ本体２の下面部には、三脚取付ねじ部９が形成されている。
【００２５】
図２はカメラ１の上面部を示す平面図である。モード設定ダイヤル６は、このカメラ１の撮影モードをＳＥＬＦ（セルフモード）、ＭＵＬＴＩ（マルチ発光モード）、ＡＵＴＯ（オートモード）のいずれかに設定するためのモード選択手段である。セルフモードは、フラッシュ装置３の使用／不使用の選択やフォーカスおよび露出調整などを撮影者自身が行う撮影モードである。オートモードは、フラッシュ装置３の使用／不使用の選択やフォーカスおよび露出調整などをカメラ１が自動的に行う撮影モードである。マルチ発光モードは、１駒の撮影時にフラッシュ装置６を複数回発光させる本発明特有の撮影モードである。マルチ発光モードに設定して、ＵＰボタン８ｕおよびＤＯＷＮボタン８ｄを操作すると、１駒毎のフラッシュ発光回数を設定できる。設定されたフラッシュ発光回数は、撮影モードや残駒数などと共に液晶表示装置７に表示される。
【００２６】
フィルタ設定ダイヤル１１は、フラッシュ装置３またはズームレンズ４の光路中に内蔵された透過率可変フィルタ１０（図３）の使用／不使用、および透過率分布パターンの変化のさせ方を設定するためのフィルタ機能切換手段である。透過率可変フィルタ１０の設定状態も液晶表示装置７に表示される。
【００２７】
図３（ａ）はフラッシュ装置３の概略構成を示す断面図である。この図はフラッシュ装置３の出射光路中に透過率可変フィルタ１０を設けた構成例を示したものである。フラッシュ装置３は、フラッシュランプ（光源）３ｂと、このフラッシュランプ３ｂから後方に放出されたフラッシュ光を反射させて光出射窓３ａに導くリフレクタ３ｃと、フラッシュ光を被写体に効率良く照射できるように光出射窓３ａに取り付けられたフレネルレンズ等からなるレンズ３ｄと、レンズ３ｄの裏面側に設けられた透過率可変フィルタ１０とを備えている。フラッシュランプ３ｂを発光させる発光回路（図示省略）には、フラッシュ発光を複数回連発して行うことができるように、大容量のメインコンデンサあるいは複数個のメインコンデンサが設けられている。
【００２８】
図３（ｂ）は撮影レンズであるズームレンズ４の入射光路中に透過率可変フィルタ１０を設けた場合の構成例を示した断面図である。フィルムが配置される撮像面１５に被写体像を結像するズームレンズ４の光路中（例えばレンズの表面側）に、透過率可変フィルタ１０が設けられている。
【００２９】
透過率可変フィルタ１０は、図３（ｃ）〜（ｅ）に示すような円形の液晶フィルタからなり、その透過率分布パターンを変化させることにより、フラッシュ装置３の光出射窓３ａから出射されるフラッシュ光による照射領域を変化させることができる。
【００３０】
図３（ｃ）の第１例は、周縁領域が透過率最低（遮光状態）、その内側領域が透過率最大となるような透過率分布パターンを示している。図３（ｄ）の第２例は、中心領域が透過率最大、その外側領域が透過率最小（遮光状態）となるような透過率分布パターンを示している。図３（ｅ）の第３例は、全領域が透過率最大となる透過率分布パターンを示している。
【００３１】
透過率可変フィルタ１０の透過率分布パターン可変機能は、マルチ発光モードにおいてのみ使用され、セルフモードやオートモードによる通常の撮影時においては、図３（ｅ）の透過率分布パターンに固定されている。
【００３２】
マルチ発光モードにおいて、フィルタ設定ダイヤル１１を「Ａ」または「Ｂ」の回転位置にセットすると、１駒の撮影時にフラッシュ発光と同期させて透過率分布パターンを変化させることができるようになっている。「Ａ」は、画角の中心領域の被写体距離がその他の領域の被写体距離よりも大きい場合のセット位置である。一方、「Ｂ」は、画角の中心領域の被写体距離がその他の領域の被写体距離よりも小さい場合のセット位置である。
【００３３】
また、透過率分布パターンの数もフラッシュ発光回数によって変化するようになっている。たとえば、フラッシュ発光回数を３回に設定して撮影した場合、透過率分布パターンは図４（ａ）、（ｂ）のように３段階に変化する。図４（ａ）、（ｂ）は、フィルタ設定ダイヤル１１をそれぞれ、「Ａ」、「Ｂ」にセットして撮影した場合における、透過率分布パターンの変化の様子を示している。
【００３４】
図５は、このカメラ１の制御系の構成を示すブロック図である。フラッシュ制御手段としての機能を有する制御部１２には、フラッシュ装置３、ズームレンズ４、レリーズボタン５、モード設定ダイヤル６、液晶表示装置７、ＵＰボタン８ｕ、ＤＯＷＮボタン８ｄ、およびフィルタ設定ダイヤル１１がシステムバスを介して接続されている。制御部１２は、ＣＰＵ１２ａ、ＲＯＭ１２ｂおよびＲＡＭ１２ｃを内蔵しており、ＣＰＵ１２ａがＲＡＭ１２ｃを作業領域に使用しつつ、ＲＯＭ１２ｂに格納されているプログラムに従って処理を実行することにより、カメラ１全体を統括制御する。
【００３５】
次に、上記のように構成されたカメラ１の動作について説明する。ここでは、本発明にかかるカメラ特有の撮影モードであるマルチ発光モードについて説明する。
【００３６】
この実施形態のカメラ１は、モード設定ダイヤル６により撮影モードがマルチ発光モードに設定され、ＵＰボタン８ｕおよびＤＯＷＮボタン８ｄによりフラッシュ装置３の発光回数が設定され、フィルタ設定ダイヤル１１により「Ａ」または「Ｂ」のパターン変化方法に設定された状態で、レリーズボタン５が押されると、１駒撮影する間に１回の露光中にフラッシュ装置３を設定された回数発光させるとともに、透過率可変フィルタ１０の透過率分布パターンをフラッシュ発光と同期させて段階的に変化させて撮影を行う。すなわち、フラッシュ装置３の複数回発光による多重露光撮影が行われる。
【００３７】
その際、フラッシュ発光回数が３回に設定されたとすると、レリーズボタン５が半押し状態になったとき、すなわち途中まで押されたときに、透過率可変フィルタ１０の透過率分布パターンが１回目用のパターンにセットされ、レリーズボタン５が全押し状態になったときにシャッタが開かれるとともに１回目のフラッシュ発光が行われる。そして、１回目のフラッシュ発光の後、透過率可変フィルタ１０の透過率分布パターンが２回目用のパターンにセットされ、２回目のフラッシュ発光の後、３回目用のパターンにセットされ、３回目のフラッシュ発光の後、シャッタが閉じられる。
【００３８】
透過率分布パターンの変化のさせ方の設定、すなわちフィルタ設定ダイヤル１１による「Ａ」または「Ｂ」の選択は、１つの被写体の凹凸形状（カメラ１との距離方向の被写体の凹凸形状）や、１画角内に被写体が複数存在する場合の被写体間の位置関係など、被写体条件に応じて撮影者が行う。
【００３９】
たとえば、図６に示すように、トンネル（被写体）２０をその入り口の手前から撮影するような場合など、画角の中心領域の被写体距離がその他の領域の被写体距離よりも長い場合には、フィルタ設定ダイヤル１１を「Ａ」（図４（ａ）の変化のさせ方）にセットして撮影を行う。
【００４０】
また、図７に示すように、撮影者の近くにいる人物（被写体）３０を画角の中心部に配置し、遠くにいる人物（被写体）３１と、更に遠くの樹木（被写体）３２と共に１つの画角に納めて撮影するような場合など、画角の中心領域の被写体距離がその他の領域の被写体距離よりも短い場合には、フィルタ設定ダイヤル１１を「Ｂ」（図４（ｂ）の変化のさせ方）にセットして撮影を行う。
【００４１】
ここで、マルチ発光モードによる多重露光撮影の原理について説明する。
フラッシュ光の到達距離Ｌは、フラッシュ装置の発光回数の２乗の和に比例する。たとえば、ガイドナンバー（ＧＮｏ．）が１０のフラッシュ装置の場合、到達距離Ｌは、２回発光で√（１０2 ＋１０2 ）倍、３回発光で√（１０2 ＋１０2 ＋１０2 ）倍になる。また、ガイドナンバーをＧ、ＦナンバーをＦとすると、Ｇ＝Ｆ×Ｌの関係が成り立つ。
【００４２】
したがって、Ｆ＝４．０とすると、フィルム感度がＩＳＯ１００の場合、Ｇ＝１０であるので、１回発光の場合の到達距離Ｌは２．５ｍ、２回発光の場合の到達距離Ｌは２．５×１．４＝３．５ｍ、３回発光の場合の到達距離Ｌは２．５×１．７＝４．２５ｍとなる。なおＩＳＯ２００の場合はＧ＝１４、ＩＳＯ４００の場合はＧ＝２０であるが、ＩＳＯ値に関係なく、１回発光の場合の到達距離をＬ１とすると、２回発光の場合の到達距離ＬはＬ１×１．４、３回発光の場合の到達距離ＬはＬ１×１．７となる（図８参照）。
【００４３】
このように、１駒撮影する毎にフラッシュ装置３を複数回発光させて撮影を行うことにより、フラッシュ光の到達距離を延ばすことができるので、フラッシュ装置３の１回の発光では露出アンダーとなるような遠距離にある被写体でも良好に撮影することが可能となる。
【００４４】
そして、図６の場合のように、画角の中心領域の被写体距離がその他の領域の被写体距離よりも大きい場合には、フラッシュ装置３の発光に連動して、図４（ａ）のように、透過率可変フィルタ１０の光透過率の大きい部分を画角の中心領域に向かって段階的に狭めていくように光透過率分布パターンを変化させることにより、画角の全領域にわたって適正な露光量で被写体を撮影することができる。すなわち、手前に位置する被写体が多重露光によって露出オーバーになってしまうのを防止することができる。図６の場合、トンネル２０の入り口から奥の方まで適正な露出で撮影することができる。
【００４５】
また、図７の場合のように、画角の中心領域の被写体距離がその他の領域の被写体距離よりも小さい場合には、フラッシュ装置３の発光に連動して、図４（ｂ）のように、透過率可変フィルタ１０の光透過率の大きい部分を画角の周縁側領域に向かって段階的に拡大していくように光透過率分布パターンを変化させることにより、画角の全領域にわたって適正な露光量で被写体を撮影することができる。すなわち、手前に位置する被写体が多重露光によって露出オーバーになってしまうのを防止することができる。図７の場合、カメラ１の最も近くにある画角中心部の人物３０から遠くにある樹木３２まで適正な露出で撮影することができる。
【００４６】
上記実施形態の変形例をその他の実施形態として以下に示す。
上記の実施形態では、フラッシュ装置３の１回の発光では露出アンダーとなるような遠距離にある被写体を撮影する場合に、撮影者がそのことを判断し、モード設定ダイヤル６を操作して撮影モードをマルチ発光モードに設定するようにしているが、カメラ１が被写体距離を検出し、被写体距離が所定距離以上遠距離にある場合には、自動的に撮影モードをマルチ発光モードに設定するようにしてもよい。
【００４７】
この場合、被写体距離を検出するための情報として、ズームレンズ４のフォーカス制御信号を用いることができる。すなわち、制御部１２などに設けられるズームレンズ４のフォーカス制御回路を被写体距離検出手段として使用し、撮影に際し、たとえばレリーズボタン５が半押し状態になったときに、制御部１２がフォーカス制御信号に基づいて被写体距離を検出し、被写体距離が所定距離以上であれば撮影モードをマルチ発光モードに切り換えるようにする。なお、ズームレンズ４の画角および絞り値を被写体距離を検出するための情報として用いることも可能である。また、ズームレンズ４の画角によって透過率可変フィルタ１０の透過率分布パターンを変化させてフラッシュ光の照射範囲を可変することもできる。
【００４８】
さらに、カメラ１にセットされているフィルムの感度（ＩＳＯ値）をも考慮して、マルチ発光モードに設定するか否かをカメラ１が判断するようにすれば、より適正な露出で撮影することができる。
【００４９】
また、被写体距離やフィルムの感度などに基づいて、マルチ発光モードに設定するか否かの判断ならびに１駒毎のフラッシュ発光回数の設定をカメラ１が自動的に行うように構成してもよい。上記の実施形態の説明では、１駒毎のフラッシュ発光回数は３回としたが、実際には何回でもよい。
【００５０】
また、カメラ１のシャッタ動作は、フラッシュ発光中は開いたままにしておくだけでなく、複数回のフラッシュ発光に連動して開閉するよう間欠的に行うようにしてもよい。
【００５１】
また、カメラ本体２が安定した設置状態にあるか否かをカメラ１が判別し、安定した設置状態にある場合には、自動的に撮影モードをマルチ発光モードに設定するようにしてもよい。この場合、設置状態判別手段として、カメラ１が三脚に固定されたら所定の信号を発するセンサを三脚取付ねじ部９に設けておけば、そのセンサからの信号に基づいて制御部１２が撮影モードをマルチ発光モードに切り換えることができる。
【００５２】
また、上記の実施形態では、透過率可変フィルタ１０の透過率分布パターンの変化のさせ方の設定を、撮影者がフィルタ設定ダイヤル１１を操作して行うようにしているが、分割測光技術などを応用して、被写体の凹凸形状や、１画角内に被写体が複数存在する場合の被写体間の位置関係などをカメラ１が認識し、被写体条件に応じて自動設定するように構成してもよい。
【００５３】
また、上記の実施形態では、透過率可変フィルタ１０に円形の液晶フィルタを用いたが、円形に限らず矩形の液晶フィルタを用いてもよい。また、液晶フィルタの代わりにＮＤフィルタなどの濃度分布や透過率分布を変化可能なフィルタを用いることもできる。
【００５４】
また、透過率可変フィルタ１０の透過率分布パターンや透過率分布パターンの変化のさせ方も、図４（ａ）、（ｂ）に示した透過率分布パターンや透過率分布パターンの変化のさせ方に限るものではない。
【００５５】
また、透過率可変フィルタ１０の設置位置も、必ずしもレンズ３ｄの裏面側である必要はない。すなわち、レンズ３ｄの前面を覆うようにして透過率可変フィルタ１０を設置したり、撮影レンズ側に設ける場合はレンズ鏡筒の前面部や内部に設置してもよい。
【００５６】
また、上記の実施形態では、本発明をフィルム撮影用カメラに適用した場合について説明したが、本発明はＣＣＤ等の撮像手段により電子的に撮影を行うデジタルカメラにも有効に適用可能である。
【００５７】
上述したように、本実施形態のフラッシュ装置付きカメラによれば、１駒の撮影時に露光中にフラッシュ装置を複数回発光させることにより、フラッシュ光の到達距離を延ばすことができるので、フラッシュ装置の１回の発光ではフラッシュ光が届かずに露出アンダーとなるような遠距離にある被写体であっても良好に撮影することができる。
【００５８】
【発明の効果】
以上説明したように本発明によれば、フラッシュ装置を複数回発光させることにより、そのフラッシュ装置の１回の発光では露出アンダーとなるような遠距離にある被写体でも良好に撮影することが可能となる効果がある。
【図面の簡単な説明】
【図１】本発明の一実施形態に係るフラッシュ装置付きカメラの外観構成を示す斜視図である。
【図２】図１に示すフラッシュ装置付きカメラの上面部を示す平面図である。
【図３】（ａ）は透過率可変フィルタを設けたフラッシュ装置の概略構成を示す断面図、（ｂ）は透過率可変フィルタを設けた撮影レンズの概略構成を示す断面図である。
（ｃ）は透過率可変フィルタの透過率分布パターンの第１例を示す説明図、（ｄ）は透過率可変フィルタの透過率分布パターンの第２例を示す説明図、（ｅ）は透過率可変フィルタの透過率分布パターンの第３例を示す説明図である。
【図４】（ａ）は透過率分布パターンの変化のさせ方の第１例を示す説明図、（ｂ）は透過率分布パターンの変化のさせ方の第２例を示す説明図である。
【図５】図１に示すフラッシュ装置付きカメラの制御系の構成を示すブロック図である。
【図６】画角の中心領域の被写体距離がその他の領域の被写体距離よりも大きい場合を例示した説明図である。
【図７】画角の中心領域の被写体距離がその他の領域の被写体距離よりも小さい場合を例示した説明図である。
【図８】フラッシュ装置の発光回数とフラッシュ光の到達距離との関係についての説明図である。
【符号の説明】
１  フラッシュ装置付きカメラ
２  カメラ本体
３  フラッシュ装置
３ａ  光出射窓
３ｂ  フラッシュランプ
３ｃ  リフレクタ
３ｄ  レンズ
４  ズームレンズ
５  レリーズボタン
６  モード設定ダイヤル
７  液晶表示装置
８ｕ  ＵＰボタン
８ｄ  ＤＯＷＮボタン
９  三脚取付ねじ部
１０  透過率可変フィルタ
１１  フィルタ設定ダイヤル
１２  制御部
【図１】
0003860037.tif 000002
【図２】
0003860037.tif 000003
【図３】
0003860037.tif 000004
【図４】
0003860037.tif 000005
【図５】
0003860037.tif 000006
【図６】
0003860037.tif 000007
【図７】
0003860037.tif 000008
【図８】
0003860037.tif 000009